(57)【特許請求の範囲】
【請求項１】
左右方向に延び、かつ前後方向に互いに対向する少なくとも第１の針床と第２の針床を有し、前記針床の少なくとも一方が左右にラッキング可能で、前記針床間で編目の目移しが可能な横編機を用いて、ニットウエアを構成する身頃と袖の前側部分を第１の針床上に付属させ、身頃と袖の後側部分を第２の針床上に付属させ、身頃と袖の前側部分と後側部分が編み幅の両端で接続された筒状体としてニットウエアの脇下まで編成し、脇下から肩にかけて身頃と両袖とを接続して１つの筒状体として編成しながら、両袖の編目と身頃の編目を重ねて筒状体の口径を小さくしていくニットウエアの編成方法において、
衿ぐりの編成を以下のステップで行うようにしたことを特徴とする横編機によるニットウエアの衿ぐり編成方法；
ａ）前衿ぐり形成部以降において、前身頃を前右身頃と前左身頃とに分岐し、前右身頃、右袖、後身頃、左袖そして前左身頃、の順で編んだ後、前衿ぐり部で給糸口を反転させ前左身頃、左袖、後身頃、右袖そして前右身頃と折り返し編成するとともにこの編成の間に前衿ぐりの周縁の編目を順次不作用状態に置いていき、同時に両袖の編目を身頃側に移動して身頃の編目と重ねていき筒状体の口径を減少していくステップ、
ｂ）次に前左身頃と前右身頃のみの編成を行い、その間、前衿ぐり周縁の編目を順次編成から外して不作用状態にしていくとともに第１の針床と第２の針床に係止される袖部分の前後の編み幅のバランスが維持されるように袖後部の編目を外端にある編目から順に第１の針床へ送り込みながら袖前部の編目を前身頃側に移動して前身頃の編目と重ねていくステップ、
ｃ）次に前衿ぐり周縁の編目を順次編成から外して不作用状態にしていく編成を引き続き行いながら前右身頃と前左身頃のみの編成を行うとともに、その間に増し目を形成しながら前右身頃および前左身頃の編目を袖側に移動させて袖前部の編目と前記ステップｂ）で第１の針床へ移動された袖後部の編目に重ねていくステップ、
ｄ）次に後身頃の肩部分の編成と、後袖の袖山上部に設けた延出部分の編成を右袖後部、後身頃そして左袖後部、の順で編んだ後、給糸口を反転させ左袖後部、後身頃そして右袖後部と折り返し編成するとともにこの編成の間に延出部分の編地を後身頃側に移動して袖と後身頃の側端部の編目同士を重ね、同時に前身頃の袖と隣接する側端の編目を第２の針床に移動して袖の側端の編目に重ねていくことで前身頃と後身頃を袖の延出部分を挟んで接合するステップ。
【請求項２】
横編機を用いて編まれた前下がりの付いた衿ぐりを有するニットウエアの編成方法であって、衿ぐりの編成を以下のステップで行うようにしたことを特徴とする横編機によるニットウエアの衿ぐり編成方法；
ａ）前袖部の脇下から袖山頂部に至るまでの部分をアームホールに沿って前身頃の脇下から肩先に至る途中までの前身頃の最初の部分と接合するステップ、
ｂ）袖前部の袖山頂部と該袖山頂部と連続する側の後袖部の袖山頂部の一部分を前身頃の前記最初の部分に続く肩先までの部分と接合するとともに該前身頃の肩先までの部分の衿ぐり周縁部に増し目を形成するステップ、
ｃ）後袖部の脇下から袖山頂部に至るまでの部分をアームホールに沿って後身頃の脇下から肩先に至るまでの部分と接合するステップ、
ｄ）前記袖後部の袖山頂部の残る部分に延出部分を形成して後身頃の肩部分と連編するとともに該延出部分を挟んで前身頃と後身頃を接合するステップ。
【請求項３】
横編機を用いて編まれた前下がりの付いた衿ぐりを有するニットウエアであって、前袖部の脇下から袖山頂部に至るまでの部分が、アームホールに沿って前身頃の脇下から肩先に至る途中までの前身頃の最初の部分と接合され、袖前部の袖山頂部と、該袖山頂部と連続する側の後袖部の袖山頂部の一部分が、前身頃の前記最初の部分に続く肩先までの部分と接合されるとともに該前身頃の肩先までの部分の衿ぐり周縁部に増し目が形成されており、後袖部の脇下から袖山頂部に至るまでの部分が、アームホールに沿って後身頃の脇下から肩先に至るまでの部分と接合され、前記袖後部の袖山頂部の残る部分に後身頃の肩部分と連編される延出部分を有し、該延出部分を挟んで前身頃と後身頃が接合されていることを特徴とするニットウエア。
【発明の詳細な説明】
技術分野
本発明はセーターやカーディガン等のニットウエアにおける衿ぐりの編成方法およびそのような編成方法により編まれたニットウエアに関する。
背景技術
本願出願人は、特開平４−２１４４４８号公報に前身頃の衿ぐりを広げるとともにこれに前下がりを形成する横編機による編地の編成方法を先に提案した。これは前身頃を衿ぐり形成開始箇所以降において、衿ぐりを挟む前右身頃と前左身頃に分岐して編成し、その編成の過程において衿ぐり周縁に沿って増し目を行うとともに、各左右の前身頃の編目を外側に移動させる編成を繰り返しながら前身頃を肩まで編成するものである。衿ぐりをこのようにして形成することで衿ぐりのウエール数が増やされ、その結果、これに続けて編まれる衿は衿幅の広いものとなるだけでなく衿ぐりには自然と前下がりが形成される。このように編まれた前身頃を使ってセーターを製造すればファッション性が高く、着用時に容易に頭を衿ぐりに通せて着心地の良いニットウエアができる。
上記公報の方法は、パーツとして単体に編まれる前身頃について開示したものであり、前身頃と後身頃をその編み幅の両端で接続して筒状に編むとともにこれらを横編機での編成工程中に肩部において互いに接合させてベストやセーター等のニットウエアを完成させるいわゆるシームレスニットと呼ばれる編成技術について開示しない。
シームレスニットは、編み工程の後の縫製を簡略ないし省略するための編成技術で、本願出願人は特開平２−９１２５４，特開平２−２２９２４８、特開平４−２０９８５５および特開平４−１５３３４６などを含め、多数の編成技術を提案している。
２枚ベッド横編機によるシームレスニットは、針床の奇数番目の針を例えば前身頃や袖前部などの前側部分の編地用に、偶数番目の針を後側部分の編地用として、前後針床のそれぞれ１本置きの針を使用して行う。前側部分の編地を編成する際に後側部分の編地を後針床に係止（付属）させ、反対に後側部分を編成する際に前側編地を前針床に付属させて各編地を前後に重ね合わせた状態で編成することでそれぞれの編地は、目移し用の空針を対向する針床上に常に確保でき、この空針を使うことでリンクス、ガーター、リブなどの表目／裏目が混在した組織柄を編成したり、袖や身頃の編目を横方向に移動させて互いに接合することができる。これに対し、４枚ベッド横編機を使用する場合では、前側部分の編地を例えば下部前針床と上部後針床の針で編成し、後側部分の編地を下部後針床と上部前針床の針を使用する。この場合、前側部分の編地を編成する際に後側部分の編地を下部後針床に付属させ、反対に後側部分を編成する際に前側部分の編地を下部前針床に付属させて編成することができるので、２枚ベッド横編機のように１本置きの針を使用するといった制限はない。また上記２枚ベッド横編機の前後の針床の一方または両方の上位にトランスファージャックを列設したトランスファージャックベッドを有するタイプの横編機を用いてもシームレスニットを編成するができる。
また特開平１１−４３８４９号公報に開示される編目ループの預け置き方法、いわゆるホールディング技術をシームレスニットに利用できる。ホールディングとは、針本体とスライダーからなり、スライダーが２枚の薄板を重ね合わせたもので、その先端側にタングを備えたスライドニードルと呼ばれる一種の複合針を使用して行う編目の預け置き技術のことであり、針本体のフックに元々係止していた編目を保持するとともにスライダーのタング上で別の編目を受け取るようにして同じ一つの針上で異なる２つの編目を互いに分離した状態で保持することをいう。このホールディングの詳細については上記公報を参照するものとするが、これを用いることで編目を移した側の針を空針とでき、これを使って適宜の編成を行った後、預けた編目をこの空針に元通り移し戻すようにすれば２枚ベッド横編機の場合でも目移し用の空針を予め確保せずにすみ全針を使ってニットウエアをシームレスに編成できる。
ところがこのようにシームレスニットされるニットウエアに対し、衿の衿幅を広げ、同時に衿ぐりに前下がりを形成したい場合に、例えばニットウエアとしてベストを編成する場合では、前身頃だけでなくこれに対峙して並行して一体に編まれる後身頃との関係を考慮しながら編成しなければならず先の特開平４−２１４４４８号公報の編成方法を容易に適用できない。更にセーターやカーディガン等の場合では身頃の両側に袖を配置して編成しなければならず、これら各パーツ同士の左右、前後の配置と、前身頃に衿ぐりを形成し、且つこれを外側に移動させながら他のパーツと如何に一体に編成するか更に困難となってくる。
本発明は、衿幅が広く衿ぐりに前下がりを形成したファッション性が高く着心地の良いシームレスニットにより編成されるセーター等のニットウエアを提供することを目的とする。
発明の開示
本発明によれば左右方向に延び、かつ前後方向に互いに対向する少なくとも第１の針床と第２の針床を有し、前記針床の少なくとも一方が左右にラッキング可能で、前記針床間で編目の目移しが可能な横編機を用いて、ニットウエアを構成する身頃と袖の前側部分を第１の針床上に付属させ、身頃と袖の後側部分を第２の針床上に付属させ、身頃と袖の前側部分と後側部分が編み幅の両端で接続された筒状体としてニットウエアの脇下まで編成し、脇下から肩にかけて身頃と両袖とを接続して１つの筒状体として編成しながら、両袖の編目と身頃の編目を重ねて筒状体の口径を小さくしていくニットウエアの編成方法において、
衿の編成を以下のステップで行うようにした；
ａ）前衿ぐり形成部以降において、前身頃を前右身頃と前左身頃とに分岐し、前右身頃、右袖、後身頃、左袖そして前左身頃、の順で編んだ後、前衿ぐり部で給糸口を反転させ前左身頃、左袖、後身頃、右袖そして前右身頃と折り返し編成するとともにこの編成の間に前衿ぐりの周縁の編目を順次不作用状態に置いていき、同時に両袖の編目を身頃側に移動して身頃の編目と重ねていき筒状体の口径を減少していくステップ、
ｂ）次に前左身頃と前右身頃のみの編成を行い、その間、前衿ぐり周縁の編目を順次編成から外して不作用状態にしていくとともに第１の針床と第２の針床に係止される袖部分の前後の編み幅のバランスが維持されるように袖後部の編目を外端にある編目から順に第１の針床へ送り込みながら袖前部の編目を前身頃側に移動して前身頃の編目と重ねていくステップ、
ｃ）次に前衿ぐり周縁の編目を順次編成から外して不作用状態にしていく編成を引き続き行いながら前右身頃と前左身頃のみの編成を行うとともに、その間に増し目を形成しながら前右身頃および前左身頃の編目を袖側に移動させて袖前部の編目と前記ステップｂ）で第１の針床へ移動された袖後部の編目に重ねていくステップ、
ｄ）次に後身頃の肩部分の編成と、後袖の袖山上部に設けた延出部分の編成を右袖後部、後身頃そして左袖後部、の順で編んだ後、給糸口を反転させ左袖後部、後身頃そして右袖後部と折り返し編成するとともにこの編成の間に延出部分の編地を後身頃側に移動して袖と後身頃の側端部の編目同士を重ね、同時に前身頃の袖と隣接する側端の編目を第２の針床に移動して袖の側端の編目に重ねていくことで前身頃と後身頃を袖の延出部分を挟んで接合するステップ。
また横編機を用いて編まれた前下がりの付いた衿ぐりを有するニットウエアの編成方法であって、衿ぐりの編成を以下のステップで行うようにした；
ａ）前袖部の脇下から袖山頂部に至るまでの部分をアームホールに沿って前身頃の脇下から肩先に至る途中までの前身頃の最初の部分と接合するステップ、
ｂ）袖前部の袖山頂部と該袖山頂部と連続する側の後袖部の袖山頂部の一部分を前身頃の前記最初の部分に続く肩先までの部分と接合するとともに該前身頃の肩先までの部分の衿ぐり周縁部に増し目を形成するステップ、
ｃ）後袖部の脇下から袖山頂部に至るまでの部分をアームホールに沿って後身頃の脇下から肩先に至るまでの部分と接合するステップ、
ｄ）前記袖後部の袖山頂部の残る部分に延出部分を形成して後身頃の肩部分と連編するとともに該延出部分を挟んで前身頃と後身頃を接合するステップ。
また横編機を用いて編まれた前下がりの付いた衿ぐりを有するニットウエアであって、前袖部の脇下から袖山頂部に至るまでの部分が、アームホールに沿って前身頃の脇下から肩先に至る途中までの前身頃の最初の部分と接合され、袖前部の袖山頂部と、該袖山頂部と連続する側の後袖部の袖山頂部の一部分が、前身頃の前記最初の部分に続く肩先までの部分と接合されるとともに該前身頃の肩先までの部分の衿ぐり周縁部に増し目が形成されており、後袖部の脇下から袖山頂部に至るまでの部分が、アームホールに沿って後身頃の脇下から肩先に至るまでの部分と接合され、前記袖後部の袖山頂部の残る部分に後身頃の肩部分と連編される延出部分を有し、該延出部分を挟んで前身頃と後身頃が接合されている。
本発明の作用について説明する。
筒状に編成されるニットウエアは前衿ぐり形成部以降において、前身頃を前右身頃と前左身頃とに分岐して前右身頃−右袖−後身頃−左袖−前左身頃の間を”Ｃ”字状を描くように折り返し編成するとともに衿ぐりで折り返しする際に前衿ぐりの周縁の編目を順次不作用状態に置いていくことで衿ぐりに円弧状の抉れた前下がりを形成しながら衿ぐりの開口を広げていく。そしてこの編成と同時に両袖の袖前部を前身頃に、袖後部を後身頃側にそれぞれ移動してアームホールで袖と身頃の編目とを重ねていき筒状体の口径を減少していく。これにより前袖部の脇下から袖山頂部に至るまでの部分がアームホールに沿って前身頃の脇下から肩先に至る途中まで部分と接合され、後袖部の脇下から袖山頂部に至るまでの部分がアームホールに沿って後身頃の脇下から肩先に至るまでの部分と接合される。
次に後身頃と袖の編成を中断し、前左身頃と前右身頃のみを編成を行う。この編成の間、衿ぐりの開口は引き続き広げられるとともに袖と身頃の接合が並行して行われる。袖と身頃の接合は、先ず前身頃と前袖部との接合を終えた後、これに続いて後袖部の一部が前身頃に接合される。この接合編成の間、第１の針床に係止される前袖部分が前身頃に向けて移動していくので、この編成が進行していくと前袖部と後袖部が境界部で引き離され糸切れが発生するので、これを防ぐために第２の針床に係止される後袖部の外端にある編目から順に第１の針床へ送り込むようにして前後の針床に係止される袖部分の前後の編み幅のバランスを維持する。
続く衿ぐり部分の編成の間に増し目を形成しながら前右身頃および前左身頃の編目を袖側に移動させて第１の針床に係止された状態にある袖前部の編目と移動された袖後部の編目に重ねていき前身頃の途中以降の肩先までの部分と袖前部の袖山頂部と、該袖山頂部と連続する側の後袖部の袖山頂部の一部分を接合する。
次に後身頃の肩部分の編成と後袖の袖山上部に設けた延出部分の編成を右袖後部−後身頃−左袖後部の間を折り返し編成し、この編成の間に袖の延出部分の編地を後身頃側に移動して袖と後身頃の側端部の編目同士を重ねるとともに前身頃の袖後部の延出部分と隣接する側端の編目を第２の針床に移動して袖の側端の編目に重ねていき前身頃と後身頃を袖の延出部分を挟んで接合する。そしてこのようにして形成した衿ぐりに続けて衿を編成するので衿ぐりのウエール数が増やされ、衿の衿幅の広いものとなり着用時に容易に頭を衿ぐりに通せて着心地の良いニットウエアとなる。
発明を実施するための最良の形態
次に本発明の好適な実施例を図面と共に以下詳細に説明する。本実施例では図示しないが上面に夫々多数の編針を列設した前針床と後針床を前後対峙し、後針床が左右にラッキング可能で、前後針床間で目移しが可能な横編機が使用される。
第１図は本実施例により編成されるセットインセーター１を示す。第２図はセーター１を構成する身頃と袖の型紙（編目配列）を示したもので、上がセーター着用時に後側に現れる後側部分となる後身頃２ｂと両袖の後部４ｂ，１４ｂを示し、これらは後針床上の針を使用して編まれ、下は着用時に前側に現れる前側部分で前身頃２ａと両袖の前部４ａ，１４ａを示し、これらは前針床上の針で編まれる。第３図は編成されたセーター１を後から見た左半分を示す。図４に編成されるセーター１の各段階の概略を示し、Ｓを始点として矢印方向に編み進む。第５図および第６図は、第４図の各段階における編成を詳細に示した編成ステップであり、前身頃を１番太い実線で、後身頃を２番目に太い実線で、袖を実線で表した。
本実施例で編まれるセーター１はラウンドネックで、前身頃の裾から肩先の点Ｆまでのコース数が後身頃の裾から肩先Ｏまでのコース数よりも多く、前身頃が肩ライン１８を越えて後身頃側に進入して後身頃と接合されるデザインとなっている。セーターのデザインは説明の便宜上平編みの無地とするが、ジャカードやリブ等の組織柄のものであってもよい。
第２図に示すように脇下部において前身頃２ａの各点Ａ，ａは、袖前部４ａ，１４ａの各点Ｑ，ｑと接合され、後身頃２ｂの各点Ｍ，ｍは袖後部４ｂ，１４ｂの各点Ｕ，ｕと接合される。アームホール２２に沿って前身頃２ａの線Ａ−Ｂ−Ｃと袖４ａの線Ｑ−Ｒが接合され、前身頃２ａの線ａ−ｂ−ｃと袖１４ｂの線ｑ−ｒが接合される。同様に後身頃２ｂの線Ｍ−Ｎ−Ｏと袖４ｂの線Ｕ−Ｖが接合され、後身頃２ｂの線ｍ−ｎ−ｏと袖１４ｂの線ｕ−ｖが接合される。前身頃２ａは衿ぐり１０ａが形成される点Ｋ，ｋ以降にかけて後身頃２ｂと異なる形状をしており、前右身頃１５ａと前左身頃５ａとに分岐して編まれる。前左身頃５ａの線Ｃ−Ｄに対して左袖前部４ａの線Ｒ−Ｓが先ず接合され、前左身頃１５ａの線ｃ−ｄに対して左袖前部１４ａの線ｒ−ｓが接合される。そして前左身頃５ａの線Ｄ−Ｅに対して左袖前部４ａの線Ｓ−Ｔが接合され、続く線Ｅ−Ｆに対して左袖後部４ｂの線Ｘ−Ｗが接合される。同様に前右身頃１５ａの線ｄ−ｅに対して右袖前部１４ａの線ｓ−ｔが接合され、続く線ｅ−ｆに対して右袖後部１４ｂの線ｘ−ｗが接合される。肩部分では前身頃２ａの線Ｆ−Ｇと左袖後部４ｂのＷ−Ｚ、後身頃２ｂの線Ｏ−Ｐが左袖後部４ｂのＶ−Ｙとそれぞれ接合され、前身頃２ａの線ｆ−ｇと右袖後部１４ｂのｗ−ｚ、後身頃２ｂの線ｏ−ｐが右袖後部１４ｂのｖ−ｙとそれぞれ接合される。なお前右身頃や左袖などを示す際に使う右・左とはセーターを着用した状態で着用者を基準に示すものとする。
次に第５図と第６図に示す編成ステップについて説明する。ステップ１は身頃２、袖４，１４用にそれぞれ用意した給糸口（不図示）で編糸を前針床ＦＢの各針に供給した後、給糸口を反転させて後針床ＢＢの各針へ編糸を供給する編成を繰り返して筒状体の裾ゴム部６、７，１７の編成を開始する。ステップ２は袖４，１４の筒径を広げながら、身頃２と同時に編成を行い、脇下部（点Ａ，Ｑ，ａ，ｑ，Ｍ，Ｕ，ｍ，ｕ）まで達したところを示す。
脇下部以降、例えば身頃編成に使用してきた給糸口を使って身頃２と袖４，１４を統合させた１つ筒状体として編成する。そしてこの筒状体の身頃と袖のコース編成を行いながらその都度袖４，１４を身頃２側へ移動させて重ねる編成を繰り返し行い、筒状体の口径を徐々に減少していく。このとき身頃の編み幅も同時に減少する。ステップ３は前身頃２ａの編成が衿ぐり１０ａの形成が開始されるＫ，ｋの位置まできたときの針床における各編地の係止状態を示す。
Ｋ，ｋからは前身頃２ａを前右身頃１５ａと前左身頃５ａとに分岐して編成する。衿ぐり１０ａの形成が開始されるＫ，ｋから続くＪ，ｊにかけては前右身頃１５ａ、右袖１４、後身頃２ｂ、左袖４そして前左身頃５ａの順で編んだ後、衿ぐり部１０ａで給糸口を反転させて折り返して前左身頃５ａ、左袖４、後身頃２ｂ、右袖１４そして前右身頃１５ａを順に”Ｃ”字を描くように繰り返し編成する。その際に衿ぐり１０ａの周縁（線Ｋ−Ｊ、ｋ−ｊ）の編目を順次不作用状態に置いていくいわゆる引き返し編成を行う。
ステップ４は前身頃２ａの編成が衿ぐり１０ａの形成がＪ，ｊの位置まできたときの針床における各編地の係止状態を示す。この状態では、前身頃２ａの線Ａ−Ｂ−Ｃと袖４ａの線Ｑ−Ｒ、前身頃２ａの線ａ−ｂ−ｃと袖１４ｂの線ｑ−ｒ、後身頃２ｂの線Ｍ−Ｎ−Ｏと袖４ｂの線Ｕ−Ｖ、後身頃２ｂの線ｍ−ｎ−ｏと袖１４ｂの線ｕ−ｖがそれぞれ接合された状態になっていて、針床には袖４，１４の袖山頂部の平坦部Ｒ−Ｔ，Ｖ−Ｘ、ｒ−ｔ、ｖ−ｘ上にある編目、本実施例ではそれぞれ数字１〜９で示した９個（ウエール）の編目が係止された状態となっている。上記ステップ１〜４のうち、ステップ１は第４図に示すｓ、ステップ２はｔ、ステップ３はｕ、ステップ４はｖの各段階に対応する。
次に第４図のｖ以降の編成に対応するステップ５〜１４の編成について説明する。これ以後、後身頃２ｂの編成は一時中断され、前身頃のコース編成のみが行われる。ステップ５〜７は、衿ぐり１０ａのＩ，ｉの位置までの編成を示す。この間、給糸口が１つ追加され、前右身頃１５ａ、前左身頃５ａのコース編成の都度左右の袖前部４ａ，１４ａの編目を身頃側に移動して前身頃の側端の編目に重ねる編成を繰り返し行う。Ｉ，ｉの位置では、左右の袖前部４ａ，１４ａの袖山の平坦部Ｒ−Ｔ，ｒ−ｔにある１〜９で示す編目のうちＲ−Ｓ，ｒ−ｓ上の１〜６の６個の編目が前身頃に接合される。ステップ５は編目１〜６のうちの最初の編目１が身頃に重ねられた状態を示し、ステップ６は次の編目２が重ねられた状態を示す。この編成を続く編目３〜６に対して行っていくと袖前部４ａ，１４ａの編地だけが身頃側に移動することになり袖前部４ａ，１４ａと袖後部４ｂ，１４ｂとの境界Ｔ，Ｘ、ｔ，ｘ間で糸切れが発生することになるので袖後部４ｂ，１４ｂの側端の編目９から順に８，７と前針床に送るようにして前後針床で係止される袖の編み幅に大きな差がでないようにして糸切れを防ぐ。ステップ６とステップ７との間には編目３〜６が前身頃に重ねられる編成が挿入されるが、ここではその図示を省略した。
本実施例では衿ぐり１０ａのＩ，ｉの位置までの前身頃５ａ，１５ａと左右の袖前部４ａ，１４ａの接合編成は、ステップ５〜７に示すように左右において並行して行なわれる例を示した。しかし、これに代えて先にｉまでの前右身頃１５ａと右袖前部１４ａの接合編成を行って一方の処理を終えた後、他方の前左身頃５ａと左袖前部４ａの接合編成を行うようにすることができる。前右身頃１５ａと右袖前部１４ａの接合編成の際に、右袖前部１４ａの編目をその都度移し替えしながら身頃側に寄せていくと同じ編目、特に処理の後半部分の編目が多数回目移し操作にさらされることになって糸切れが発生してしまうような場合には、右袖前部１４ａの編目全部を一旦後針床へ移して前右身頃１５ａのコース編成の度に後針床を右へラッキングさせていき右袖前部１４ａを身頃側に移動させるようにして前右身頃１５ａに重ねるようにすれば上記した糸切れの問題を防ぐことができる。４枚ベッド横編機の場合では右袖前部１４ａの編目を後上部針床へ移す。この場合、後針床をラッキングさせて行くと右側において前針床に係止される左袖前部４ａと後針床に係止される左袖後部４ｂが境界部で引き離されないように左後袖部４ｂの編目を外端から順に前針床へ送り込み前後の編み幅のバランスを維持させる。このようにして一方の処理を終えた後、これと同様な編成を前左身頃５ａと左袖前部４ａの接合編成に対して行うようにすればよい。
続くステップ８と９では、前衿ぐり１０ａのＩ，ｉ以降の編み幅を増やす編成が行われる。これは前右身頃１５ａと前左身頃５ａの編成を行っていく間に行われ、衿ぐり１０の形成がＨ，ｈに達した状態では、前左身頃５ａの線Ｄ−Ｅと左袖前部４ａの線Ｓ−Ｔが、前右身頃１５ａの線ｄ−ｅと右袖前部１４ａの線ｓ−ｔが接合される。そして衿ぐり１０の形成がＧ，ｇに達した状態では、前左身頃５ａの線Ｅ−Ｆと左袖後部４ｂの線Ｘ−Ｗが、前右身頃１５ａの線ｅ−ｆと右袖後部１４ｂの線ｘ−ｗが接合される。ステップ８は前左身頃５ａのコース編成を示し、このコース編成の間に衿ぐり１０ａの右側部分が形成される。ここでは前左身頃５ａが２コース編成される毎に前左身頃５ａの編目を隣りの左袖４の編目に向けて移動して重ねる編成を６回繰り返し行い、衿ぐり１０ａの編み幅を右側において６目（ウエール）増やす。前左身頃５ａの編目を左袖１４に向けて移動する際に衿ぐり１０ａの周縁に孔が開かないようにその都度増し目（図中の×印）を衿ぐり周縁に形成する。この増し目は例えばタックや割増やしなどの増し目技術を使って形成することが可能であるが孔開き部分を塞ぐものであれば上記以外の方法でもよい。ステップ９は前右身頃１５ａのコース編成を示し、このコース編成の間に衿ぐり１０ａの左側部分を形成する。この編成は上記ステップ８と同じ様な編成で行われる。このようにして本実施例では、前衿ぐり１０ａの左側部分と右側部分でそれぞれで６目ずつ、計１２目（ウエール）が増やされる。上記衿ぐりはステップ８の右側部分の編成を行った後、ステップ９の左側部分の編成を行うようにしたがこれらを並行して行うようにしてもよい。
ステップ１０は衿ぐり１０ａの編成がＧ，ｇまで達したときの針床での編地の係止状態を示す。前身頃２ａの編成はこれで終了し、前針床には前衿ぐり１０ａが形成された前身頃２ａの編地が係止され、後針床にはＯ−ｏ間にある後身頃２ｂの編目とその両側に袖後部のＶ−Ｗ、ｖ−ｗの各編目１〜６が係止される。
次にステップ１０〜１３に示す肩部分の編成について説明する。ここではコース編成を中断していた後身頃２ｂのコース編成を再開し、第２図において１２で示す後身頃２ｂの肩部分のコース編成を行う。この肩部分１２の編成は左右の袖後部４ｂ，１４ｂの袖山から延出した矩形状部分９ｂ，１９ｂの編成と同時に行われる。この編成は単一の給糸口を用いて右袖後部１４ｂ、後身頃１２、左袖後部４ｂの間を折り返し編成することで行われる。そしてコース編成がなされる都度、袖の９ｂ，１９ｂ部分の編地を後身頃２ｂ側に移動して袖と後身頃の側端部の編目同士を重ねていくことで後身頃の編み幅を徐々に減少させていく。この編成の間、前身頃２ａの袖９ｂ，１９ｂと隣接する側端の編目をその都度後針床に移動して袖９ｂ，１９ｂの側端の編目に重ねていくことで前身頃２ａと後身頃２ｂは袖の矩形状部分９ｂ，１９ｂを挟んで互いに接合されることになる（第３図参照）。即ち前身頃２ａの線Ｆ−Ｇと左袖後部４ｂのＷ−Ｚが接合され、後身頃２ｂの線Ｏ−Ｐと左袖後部４ｂのＶ−Ｙが接合される。同様に前身頃２ａの線ｆ−ｇと右袖後部１４ｂのｗ−ｚが接合され、後身頃２ｂの線ｏ−ｐと右袖後部１４ｂのｖ−ｙが接合される。ステップ１２は筒状体の口径が途中まで減少した状態を示す。ステップ１３は更に編成が進行して肩部分の接合が終了した状態を示し、この状態では、前針床には前衿ぐり１０ａだけが係止され、後針床には後衿ぐり１０ｂと、左右の袖後部４ｂ，１４ｂの矩形状部分９ｂ，１９ｂが係止されている。
そしてステップ１４において前身頃２ａに形成された衿ぐり上の点ｇ，ｈ，ｉ，ｊ，ｋ，Ｋ，Ｊ，Ｉ，Ｈ，Ｇ、と左袖後部４ｂの点Ｚ，Ｙ、後身頃２ｂの点Ｐ，ｐ、および右袖後部１４ｂの点ｙ，ｚを結んで形成される環（線ｇ−ｈ−ｉ−ｊ−ｋ−Ｋ−Ｊ−Ｉ−Ｈ−Ｇ−Ｚ−Ｙ−Ｐ−ｐ−ｙ−ｚ−ｇ）に沿って衿２０を所望コース周回編成してセーター１の編成を終了する。
上記したように前衿ぐり１０ａ形成時に増し目を行うことで前衿ぐり１０ａの編み幅は後衿ぐり１０ｂの編み幅よりも広くなり、前後においてその編み幅に差を生じることになるが、後身頃の肩部分１２の編成の際に左右の袖後部４ｂ，１４ｂの矩形状部分９ｂ，１９ｂを連続して編成するようにして筒状体の前後の編み幅を揃えるようにしているので支障なく衿部分を筒状に編成することができる。
これにより編成されたセーター１は、衿ぐり１０に前下がりが形成されたファッション性のよいものとなり、しかも広い口径の衿ぐりを有するので着用の際に頭が通しやすく着心地の良いものとなる。本実施例では衿２０はラウンドネックとして編成されるが、タートルネックなど所望するデザインの衿を編成してもよい。また衿ぐりをＵ字状に形成するようにしてもよい。
産業上の利用可能性
上記したように本発明では衿ぐりのウエール数が増やされ、衿の衿幅の広いものとなり着用時に容易に頭を衿ぐりに通せて着心地の良いニットウエアとなる。
【図面の簡単な説明】
第１図は本発明の実施例により編成される丸首のセットインセーターを示し、第２図はセットインセーターを構成する各パーツを横編機上で編成される状態を示す。第３図はセーターを後から見た左半分を示し、第４図は実施例のセーターの各段階の編成の概略を示し、第５図は実施例のセーターの編成ステップの前半部分を示し、第６図は実施例のセーターの編成ステップの後半部分を示す。
【図１】
0004252752.tif 000002
【図２】
0004252752.tif 000003
【図３】
0004252752.tif 000004
【図４】
0004252752.tif 000005
【図５】
0004252752.tif 000006
【図６】
0004252752.tif 000007